(57)【特許請求の範囲】
【請求項１】
測定対象に向けて測距光を照射する発光部と、測定対象物からの反射測定光を受光する受光部を有し距離を測定する距離測定機に於いて、前記受光部の受光感度をバイアス電圧により変化させる倍率調整部と、前記発光部の光量を可変可能とする光量切換え部とを具備し、前記発光部が前記受光部に向けて複数段階の規定光量の光を順次照射可能であり、前記倍率調整部は前記規定光量の段階に応じて前記受光部の出力が基準値となる様に前記受光部のバイアス電圧を順次変え、前記発光部が所定の複数段階の発光を終えた時点で所定感度が得られる倍率となる様前記受光部のバイアス電圧を決定する様構成したことを特徴とする距離測定機。
【請求項２】
前記発光部が測距光を発する光源と、調整用規定光を発する調整用発光素子を有し、前記光量切換え部は前記調整用発光素子の光量を可変とした請求項１の距離測定機。
【請求項３】
測定対象に向けて測定光を照射する発光部と、測定対象物からの反射測定光を受光する受光素子を有し距離を測定する距離測定機に於いて、前記発光部が前記受光素子に向けて複数段階の規定光量の光を順次照射可能であり、前記受光素子は前記規定光量の段階に応じて前記受光素子の出力が基準値となる様に順次バイアス電圧が変えられ、前記発光部が所定の複数段階の発光を終えた時点で所定感度が得られる倍率となる様前記受光素子のバイアス電圧が決定される様にしたことを特徴とする距離測定機の受光部調整方法。
【請求項４】
前記発光部が測距光を発する光源と、調整用規定光を発する調整用発光素子を有し、該調整用発光素子の光量を可変とした請求項３の距離測定機の受光部調整方法。
【請求項５】
前記段階間の規定光量は、所定倍率で減光された状態となっている請求項３の距離測定機の受光部調整方法。
【発明の詳細な説明】
【０００１】
【発明の属する技術分野】
本発明は測距部の受光部感度を簡便に調整可能とした距離測定機及び距離測定機の受光部調整方法に関するものである。
【０００２】
【従来の技術】
光波による距離測定は、変調した測定光を用い、反射光の位相差から距離を求めている。図４は距離測定機の基本的な測距部１の説明図であり、図５は距離測定機の制御部１３の説明図である。
【０００３】
発振器２により変調駆動された発光素子３より測距光４が発光されると、測距光４は対物レンズ５で平行光とされ、測距対象である反射プリズム６に向かう。反射プリズム６で反射された測距光４は再び対物レンズ５より入射し受光素子７に受光される。前記発光素子３より発光された測距光の一部は反射鏡９により反射され内部参照光１２として前記受光素子７に受光される。
【０００４】
受光された測距光４と内部参照光１２の受光信号に基づいて、測距回路８が位相差から距離を演算する。
【０００５】
測距回路８で求められた測定対象（反射プリズム６）迄の距離はＣＰＵ１４の制御に基づいて表示部１５に距離数値として表示される。キーボード部１６からは測距指示、データ等が入力される。
【０００６】
図６は測距部１のより具体的な説明図である。
【０００７】
発光素子３の側にはＬＥＤ、ＬＤ等の発光素子３からの測距光４を遮る様にチョッパー１７が設けられ、該チョッパー１７は光路変換モータ１８により回転される。受光素子７の側には濃度フィルター２０が反射測距光４′を遮断する様に設けられ、該濃度フィルター２０は濃度調整モータ２１により回転される。前記受光素子７としては、受光感度等の条件によりＡＰＤ（アバランシェ・フォト・ダイオード）が用いられる。
【０００８】
前記チョッパー１７には内側の光束と外側の光束とを交互に遮断する様なパターンが形成されており、前記光路変換モータ１８により前記チョッパー１７を回転することで、光路が交互に切替えられる様になっている。又、濃度フィルター２０には、回転方向に沿って濃度が漸次変化する様なパターンが形成され、前記濃度調整モータ２１で濃度フィルター２０の回転位置を選択することで、前記受光素子７の受光光量を調整できる様になっている。前記反射プリズム６と距離測定機との距離に対応して受光素子７に入射する反射測距光４′の光量が増減するが、前記濃度フィルター２０の位置を適宜選択することで前記受光素子７の受光光量を一定にすることができる。
【０００９】
而して、前記受光素子７の受光光量に基づいて、前記受光素子７に入射する反射測距光４′と内部参照光１２の光量が一定となる様に、前記濃度調整モータ２１が回転され、前記濃度フィルター２０の位置が制御される。又、前記測距回路８が発する基準信号と同期して、前記光路変換モータ１８が回転制御され、前記受光素子７に入射する反射測距光４′と前記内部参照光１２との切替えを行う。
【００１０】
上記したＡＰＤは受光感度の精度が高く、ダイナミックレンジが広い為、受光素子として用いられるが、ＡＰＤは個々の素子に応じて特性のバラツキがあり、距離測定機に組込む場合には調整を必要とする。特に、高精度の測定機の場合には、調整は不可欠である。
【００１１】
ＡＰＤはバイアス電圧によって受光して流れる電流の倍率が調整出来る。ＡＰＤのバイアス電圧と出力電流との特性を図７に示す。図７に示される様に、ＡＰＤは使用可能な範囲の倍率が大きく、１５０倍以上取れるが、ある一定のバイアス電圧Ｖａ以上になると、雪崩現象を起こしてしまう特性がある。従って、ＡＰＤの調整では必要な倍率を維持しつつ、雪崩現象を起こすバイアス電圧より低いバイアス電圧に設定される。
【００１２】
従来のＡＰＤの調整について説明する。
【００１３】
従来この調整用として、専用の調整工具を必要とした。
【００１４】
図８に示される様に、従来の調整工具は調整用のＬＥＤ２２と濃度フィルタ２３の組合わせから成っている。
【００１５】
先ず、出力光量が決められ一定とされた前記ＬＥＤ２２を受光素子７に対して所定位置で発光させる。発光は実際の測距光４と同様に変調されている。
【００１６】
ＡＰＤがＬＥＤ２２からの光を直接受光し、光電変換した値から調整するが、その時の倍率を１倍とする。
【００１７】
次に、１／１５０の濃度フィルタ２３を、前記受光素子７と前記ＬＥＤ２２との間に挿入する。前記ＡＰＤの受光光量は１／１５０となり、受光光量が１／１５０に落ちたところで、ＡＰＤからの出力電流が濃度フィルタ２３が無い時と同じとなる様にバイアス電圧を上げて行く。同じとなったバイアス電圧で１５０倍の倍率が得られる。
【００１８】
【発明が解決しようとする課題】
然し乍ら、この様に調整した受光素子７も、距離測定機の使用頻度、時間的経過等により、１５０倍に設定した時の正確な出力電流が得られなくなることがある。その場合には、製品の再調整が必要となる。この為、従来では定期的、或は所定使用時間毎に距離測定機の再調整を行っていた。上記した様に、調整には専用の調整工具、測定器械を必要とするので、距離測定機の使用者が随時調整を行うということができず、メーカに再調整を依頼していた。この為、再調整の度に距離測定機をメーカに持込む等煩雑であったと共に、再調整している間は距離測定機が使用できず、不便であった。
【００１９】
本発明は斯かる実情に鑑み、受光素子（ＡＰＤ）を簡便に調整できる様にし、再調整に伴う煩雑さを解消すると共に距離測定機が再調整による使用の制限を受けない様にするものである。
【００２０】
【課題を解決するための手段】
本発明は、測定対象に向けて測距光を照射する発光部と、測定対象物からの反射測定光を受光する受光部を有し距離を測定する距離測定機に於いて、前記受光部の受光感度をバイアス電圧により変化させる倍率調整部と、該受光部に向けて前記発光部の光量を可変可能とする光量切換え部とを具備する距離測定機に係り、又、前記発光部が測距光を発する光源と、調整用規定光を発する調整用発光素子を有し、前記光量切換え部は前記調整用発光素子の光量を可変とした距離測定機に係るものであり、又測定対象に向けて測定光を照射する発光部と、測定対象物からの反射測定光を受光する受光素子を有し距離を測定する距離測定機に於いて、前記発光部が前記受光素子に向けて複数の規定光量の光を照射可能であり、光量変化に対応させ前記受光素子の受光感度範囲を決定する距離測定機の受光部調整方法に係り、又前記発光部が測距光を発する光源と、調整用規定光を発する調整用発光素子を有し、該調整用発光素子の光量を可変とした距離測定機の受光部調整方法に係り、又前記発光部が規定光量に対し所定倍率で減光し、減光した状態に対して受光素子の所定倍率の感度が得られる様バイアス電圧を決定する距離測定機の受光部調整方法に係り、更に又前記発光部が複数段階の規定光量の光を順次発し、前記受光素子は発光部の発光光量に応じて順次バイアス電圧を変え、前記発光部が所定の複数段階の発光を終えた時点で前記受光素子のバイアス電圧を決定する距離測定機の受光部調整方法に係るものである。
【００２１】
【発明の実施の形態】
以下、図面を参照しつつ本発明の実施の形態を説明する。
【００２２】
図１は距離測定機の受光感度調整部を示すものであり、該受光感度調整部は倍率調整部２４と光量切換え部３８から構成される。前記倍率調整部２４は制御部２５、該制御部２５によりバイアス電圧の出力が制御されるバイアス回路２６、該バイアス回路２６によりバイアス電圧が印加される受光素子７、該受光素子７からの分岐電流値を調整する抵抗２７、前記受光素子７の出力分岐電流を増幅する増幅器２８、該増幅器２８からの出力値のピーク値をホールドするピークホールド回路２９、該ピークホールド回路２９からの出力値をデジタル信号に変換するＡ／Ｄ変換器３１とを具備する。
【００２３】
又、前記光量切換え部３８は、調整用発光素子３２と該調整用発光素子３２に第１スイッチングトランジスタ３３及び第１抵抗３４と第２スイッチングトランジスタ３５及び第２抵抗３６とが並列接続され、前記第１抵抗３４の抵抗値（図では１０Ω）を前記第２抵抗３６の抵抗値（図では１００Ω）の１／１０とする。前記第１スイッチングトランジスタ３３、第２スイッチングトランジスタ３５にはＯＮ／ＯＦＦ用制御電圧を印加する切換え回路３７が接続され、該切換え回路３７は前記制御部２５により制御される様になっている。
【００２４】
前記調整用発光素子３２から発光される調整用規定光は前記受光素子７に入射する様になっており、図６で示した測距光学系とは別の倍率調整用の光学系を有している。
【００２５】
図２を参照して作用を説明する。
【００２６】
距離測定機を所定時間使用後、或は所定期間毎に受光素子７の倍率調整を行う。
【００２７】
前記発光素子３の発光を停止し、前記調整用発光素子３２を発光させる。
【００２８】
先ず、前記第２スイッチングトランジスタ３５に対する制御電圧をＯＦＦとし、前記第１スイッチングトランジスタ３３に制御電圧を印加する。前記第１抵抗３４で決定される初期駆動電流が前記調整用発光素子３２に流れ、該調整用発光素子３２が発光する。前記受光素子７には前記バイアス回路２６より基準バイアス電圧が印加されており、前記バイアス回路２６は基準バイアス電圧と前記調整用発光素子３２からの光量により決定される電流が出力され、出力電流の基準ピーク値が前記ピークホールド回路２９、Ａ／Ｄ変換器３１により検出され、前記制御部２５に入力される。該制御部２５はこの基準ピーク値を記憶する。
【００２９】
次に、前記制御部２５から前記切換え回路３７に光量切換え指令信号が発せられ、該切換え回路３７は前記第１スイッチングトランジスタ３３に対する制御電圧をＯＦＦとし、前記第２スイッチングトランジスタ３５に制御電圧を印加する。前記調整用発光素子３２には前記第２抵抗３６により決定される変更駆動電流が流れ、発光する。該変更駆動電流は前記基準駆動電流の１／１０であり、発光光量は１／１０に減光する。
【００３０】
減光状態での前記受光素子７からの出力電流値を前記ピークホールド回路２９、Ａ／Ｄ変換器３１により検出し、前記制御部２５が最低倍率ピーク値として記憶する。
【００３１】
前記制御部２５が前記バイアス回路２６にバイアス電圧増加信号を発し、該バイアス回路２６は前記受光素子７に印加するバイアス電圧を増大させる。前記受光素子７が出力する電流値は前記ピークホールド回路２９、Ａ／Ｄ変換器３１から前記制御部２５にフィードバックされ、フィードバックされた出力電流が前記基準ピーク値の１５倍となる迄、前記バイアス回路２６を制御する。前記制御部２５は受光素子７の出力電流が前記基準ピーク値の１５倍となった時点でのピーク値を最高倍率ピーク値として記憶すると共にこの時点でのバイアス電圧を最高倍率バイアス電圧として記憶する。
【００３２】
而して、前記調整用発光素子３２の減光状態での前記受光素子７の最低倍率ピーク値と最高倍率ピーク値との比は１５０倍となっており、バイアス電圧を前記基準バイアス電圧から最高倍率バイアス電圧迄変化させることで、前記受光素子７の受光感度を１５０倍とすることができる。
【００３３】
尚、設定倍率は１５０倍に限らず、受光素子７の出力電流が前記基準ピーク値の１０倍となった時点でのピーク値を最高倍率ピーク値として記憶すると共にこの時点でのバイアス電圧を最高倍率バイアス電圧として記憶すれば、受光感度は１００倍となる等任意である。又、上記実施の形態では切換え回路３７を別途設けたが、前記発光素子３による内部参照光１２、反射測距光４′を利用し、前記発光素子３の発光量を変化させてもよい。
【００３４】
図３により他の実施の形態について説明する。
【００３５】
該他の実施の形態の受光感度調整部については特に図示しないが、回路構成としては上記実施の形態と同様であり、前記調整用発光素子３２に３以上のスイッチング素子を並列に接続し、前記切換え回路３７により３段階以上の光量切換えを行う様にしたものである。以下、図１を参照して説明する。
【００３６】
調整用発光素子３２の光量を光量切換え部３８により段階的に下げ、その段階毎の受光素子７の出力電流が基準値となる様に、前記制御部２５によりバイアス回路２６を制御し、同じく段階的にバイアス電圧を上げていき、最終的に１５０倍の倍率を得る。
【００３７】
前記調整用発光素子３２を所定の光量で発光させる。この時のバイアス電圧の受光素子７の出力を倍率１倍とする。光量は使用するメーカの受光素子７特性から予め決めておく。この時点のバイアス電圧は非常に低くほとんど０Ｖに近い。この時の受光素子７の出力電流値をサンプリングし、Ａ／Ｄ変換し基準ピーク値を検出して、前記制御部２５により記憶する。
【００３８】
次に、前記制御部２５により前記光量切換え部３８を制御し、調整用発光素子３２の光量を次の段階の光量に下げる。この時受光素子７の出力電流から検出したピーク値は光量に応じて下がる。この降下を補う様に、ピーク値が基準ピーク値となる様に前記バイアス回路２６を制御し、バイアス電圧を上げる。
【００３９】
而して、調整用発光素子３２の光量減少と、ピーク値が基準ピーク値となる様にバイアス電圧の増大とを繰返し、最終的に所定の倍率である１５０倍で調整を終える。
【００４０】
尚、上記実施の形態では光量の切換えを電気的に行ったが、濃度フィルタを用いて光量の切換えを行ってもよい。又、前記距離測定機に対し、反射プリズム６を低地に配置し、前記反射測距光４′と前記濃度フィルター２０を利用し、前記受光素子７が受光する光量の切換えを行ってもよい。
【００４１】
【発明の効果】
以上述べた如く本発明によれば、測定対象に向けて測定光を照射する発光部と、測定対象物からの反射測定光を受光する受光素子を有し距離を測定する距離測定機に於いて、前記発光部が前記受光素子に向けて複数の規定光量の光を照射可能であり、光量変化に対応させ前記受光素子の受光感度範囲を決定する様にしたので、濃度フィルタを使用せずに受光素子（ＡＰＤ）の感度調整が行え、構造が簡単であると共に調整作業が簡便であり、再調整に伴う煩雑さが解消されると共に距離測定機が再調整による使用の制限を受けないという優れた効果を発揮する。
【図面の簡単な説明】
【図１】本発明の実施の形態の要部を示す回路構成図である。
【図２】同前本発明の実施の形態を示す作用説明図である。
【図３】本発明の他の実施の形態を示す作用説明図である。
【図４】距離測定機の測距部の概略説明図である。
【図５】測距部のブロック図である。
【図６】距離測定機の測距部の説明図である。
【図７】距離測定機に使用される受光素子の感度特性を示す線図である。
【図８】従来の調整用発光素子の調整工具の概略を示す説明図である。
【符号の説明】
３          発光素子
４          測距光
７          受光素子
１２        内部参照光
２４        倍率調整部
２５        制御部
２６        バイアス回路
２９        ピークホールド回路
３２        調整用発光素子
３３        第１スイッチングトランジスタ
３５        第２スイッチングトランジスタ
３７        切換え回路
３８        光量切換え部
【図１】
0004630413.tif 000002
【図２】
0004630413.tif 000003
【図３】
0004630413.tif 000004
【図４】
0004630413.tif 000005
【図５】
0004630413.tif 000006
【図６】
0004630413.tif 000007
【図７】
0004630413.tif 000008
【図８】
0004630413.tif 000009